【手続補正書】
【提出日】平成24年11月8日(2012.11.8)
【手続補正１】
【補正対象書類名】明細書
【補正対象項目名】発明の名称
【補正方法】変更
【補正の内容】
【発明の名称】カメラ及び画像合成方法
【手続補正２】
【補正対象書類名】明細書
【補正対象項目名】０００１
【補正方法】変更
【補正の内容】
【０００１】
本発明は、水上の被写体と水中の被写体とをそれぞれ撮影するカメラ及び画像合成方法に関する。
【手続補正３】
【補正対象書類名】明細書
【補正対象項目名】０００４
【補正方法】変更
【補正の内容】
【０００４】
なお、特開２００５−２１５６８４号公報には、カメラの撮影タイミングを自動で決定することが開示されている。  
しかし、この公報は、人物の顔に関するもので、被写体そのものの特徴を検出するものであって、被写体を取り巻く、特殊な環境に対応するものでない。  
本発明は上述した点に鑑みてなされたもので、水面が変動する撮像又は撮影状況においても、水上被写体及び水中被写体の両画像を同時に含む画像を取得するのに適したカメラ及び画像合成方法を提供することを目的とする。
【手続補正４】
【補正対象書類名】明細書
【補正対象項目名】０００５
【補正方法】変更
【補正の内容】
【０００５】
本発明の１態様に係るカメラは、水面上部側の水上被写体と、水面下部側の水中被写体とをそれぞれ撮影するための撮像部と、
上記撮像部で撮像した被写体の画像から、上記水上被写体の水上被写体画像と、上記水中被写体の水中被写体画像との境界の上記水面部に対応する水面部画像を検出する水面部画像検出部と、
上記撮像部で撮像した被写体の画像における上記水面部画像の上側に上記水中被写体画像、又は上記水面部画像の下側に上記水上被写体画像を合成して、合成画像を生成する画像合成部と、
を具備することを特徴とする。
本発明の１態様に係る画像合成方法は、水面上部側の水上被写体と、水面下部側の水中被写体とをそれぞれ撮影するための撮像ステップと、
上記撮像ステップで撮像した被写体の画像から、上記水上被写体の水上被写体画像と、上記水中被写体の水中被写体画像との境界の上記水面部に対応する水面部画像を検出する水面部画像検出ステップと、
上記撮像ステップで撮像した上記被写体の画像における上記水面部画像の上側に上記水中被写体画像、又は上記水面部画像の下側に上記水上被写体画像を合成して、合成画像を生成する画像合成ステップと、
を具備することを特徴とする。
本発明の他の１態様に係るカメラは、水面上部側の水上被写体と、水面下部側の水中被写体とを同時に撮影するための撮像部と、
上記撮像部が上記水上被写体と上記水中被写体とを同時に撮影するための撮影モードとしての半水中撮影モードの撮影状態に設定されたことを自動的に検出する半水中撮影モード判定部と、
上記半水中撮影モード判定部による半水中撮影モードの撮影状態の判定後における複数の撮影タイミングにより上記撮像部により撮影された複数の画像から水面が変動する水面部により発生する水面部画像を検出し、該水面部画像の少なくとも一部に上記水上被写体の水上被写体画像又は上記水中被写体の水中被写体画像を合成して上記水面部画像の領域を低減した合成画像を生成する画像合成部と、
を具備することを特徴とする。
【手続補正５】
【補正対象書類名】明細書
【補正対象項目名】０００６
【補正方法】変更
【補正の内容】
【０００６】
本発明の更に他の１態様に係るカメラは、水面上部側の水上被写体と、水面下部側の水中被写体とを同時に撮影するための撮像部と、
上記撮像部で撮像した被写体の画像から、水面が変動する水面部によって生じる水面部画像を検出し、上記水上被写体の水上被写体画像と、上記水中被写体の水中被写体画像の同時撮影するための撮影タイミングを決定する撮影タイミング決定部と、
上記撮影タイミング決定部で決定した撮影タイミング付近の複数のタイミングで撮影された複数の上記被写体の画像から合成画像を生成する画像合成部と、
を具備することを特徴とする。
【手続補正６】
【補正対象書類名】明細書
【補正対象項目名】０００７
【補正方法】変更
【補正の内容】
【０００７】
本発明によれば、水面が変動する撮像又は撮影状況においても、水上被写体及び水中被写体の両画像を同時に含む画像を取得するのに適したカメラ及び画像合成方法を実現できる。
【手続補正７】
【補正対象書類名】特許請求の範囲
【補正対象項目名】全文
【補正方法】変更
【補正の内容】
【特許請求の範囲】
【請求項１】
水面上部側の水上被写体と、水面下部側の水中被写体とをそれぞれ撮影するための撮像部と、
上記撮像部で撮像した被写体の画像から、上記水上被写体の水上被写体画像と、上記水中被写体の水中被写体画像との境界の上記水面部に対応する水面部画像を検出する水面部画像検出部と、
上記撮像部で撮像した被写体の画像における上記水面部画像の上側に上記水中被写体画像、又は上記水面部画像の下側に上記水上被写体画像を合成して、合成画像を生成する画像合成部と、
を具備することを特徴とするカメラ。
【請求項２】
上記画像合成部は、
上記水面部画像の検出結果に基づいて、上記撮像部の視野内における上記水面部の存在によって撮影が妨げられた上記水上被写体画像及び上記水中被写体画像の少なくとも一方を補間して、上記合成画像を生成することを特徴とする請求項１に記載のカメラ。
【請求項３】
上記水面部画像検出部は、
上記撮像部で撮像した被写体の画像から、少なくとも水平方向に帯状に延びるローコントラストのローコントラスト領域の検出結果により上記水面を含む水面部に対応する上記水面部画像を検出することを特徴とする請求項１に記載のカメラ。
【請求項４】
上記画像合成部は、
水平方向に帯状に延びる上記ローコントラスト領域が上又は下方向に広がって存在している場合の上記水面部画像を含む被写体の画像に対して、上記水中被写体画像又は上記水上被写体画像を合成して、上記合成画像を生成することを特徴とする請求項３に記載のカメラ。
【請求項５】
上記合成画像を画像を表示する表示部に表示すると共に、上記ローコントラスト領域が上下方向に閾値以下と判定された上記合成画像を、撮影画像として記録部に記録することを特徴とする請求項４に記載のカメラ。
【請求項６】
水面上部側の水上被写体と、水面下部側の水中被写体とをそれぞれ撮影するための撮像ステップと、
上記撮像ステップで撮像した被写体の画像から、上記水上被写体の水上被写体画像と、上記水中被写体の水中被写体画像との境界の上記水面部に対応する水面部画像を検出する水面部画像検出ステップと、
上記撮像ステップで撮像した上記被写体の画像における上記水面部画像の上側に上記水中被写体画像、又は上記水面部画像の下側に上記水上被写体画像を合成して、合成画像を生成する画像合成ステップと、
を具備することを特徴とする画像合成方法。
【請求項７】
水面上部側の水上被写体と、水面下部側の水中被写体とを同時に撮影するための撮像部と、
上記撮像部が上記水上被写体と上記水中被写体とを同時に撮影するための撮影モードとしての半水中撮影モードの撮影状態に設定されたことを自動的に検出する半水中撮影モード判定部と、
上記半水中撮影モード判定部による半水中撮影モードの撮影状態の判定後における複数の撮影タイミングにより上記撮像部により撮影された複数の画像から水面が変動する水面部により発生する水面部画像を検出し、該水面部画像の少なくとも一部に上記水上被写体の水上被写体画像又は上記水中被写体の水中被写体画像を合成して上記水面部画像の領域を低減した合成画像を生成する画像合成部と、
を具備することを特徴とするカメラ。
【請求項８】
水面上部側の水上被写体と、水面下部側の水中被写体とを同時に撮影するための撮像部と、
上記撮像部で撮像した被写体の画像から、水面が変動する水面部によって生じる水面部画像を検出し、上記水上被写体の水上被写体画像と上記水中被写体の水中被写体画像の同時撮影に適した撮影タイミングを決定する撮影タイミング決定部と、
上記撮影タイミング決定部で決定した撮影タイミング付近の複数のタイミングで撮像された複数の上記被写体の画像から合成画像を生成する画像合成部と、
を具備することを特徴とするカメラ。
【請求項９】
上記撮影タイミング決定部は、所定期間中に上記撮像部によりそれぞれ撮像された複数の画像を、撮像したタイミングと共に一時的に仮記録部に記録し、該仮記録部に一時的に記録された画像に対して上記水面部画像における水面部の影響が小さい、又は上記水上被写体画像及び上記水中被写体画像の同時撮影に該当する撮影すべき撮影画像であるか否かを決定し、決定した撮影画像を上記仮記録部から記録部に撮影画像として撮影タイミングと共に記録することを特徴とする請求項８に記載のカメラ。
【請求項１０】
上記水面部の影響が小さいと判定された合成画像を、撮影画像として上記記録部に記録することを特徴とする請求項９に記載のカメラ。